(57)【特許請求の範囲】
【請求項１】
内視鏡の処置具挿通チャンネルに挿脱自在な可撓性チューブと、上記可撓性チューブ内に送り込むための液剤が充填された弾力性のある材料からなる液剤充填袋と、上記可撓性チューブの後端と上記液剤充填袋の先端との間に接続配置された透明で弾力性のある材料からなる液剤計量袋とが一体に形成されて、
上記液剤充填袋内から上記液剤計量袋内へは上記液剤を通過させて上記液剤計量袋内から上記液剤充填袋内へは上記液剤を通過させない逆止弁が、上記液剤充填袋と上記液剤計量袋との間に配置されていることを特徴とする内視鏡用液剤散布具。
【請求項２】
上記液剤計量袋が上記液剤充填袋より小さな容積に形成されている請求項１記載の内視鏡用液剤散布具。
【請求項３】
上記液剤充填袋が不透明な材料で形成されている請求項１又は２記載の内視鏡用液剤散布具。
【請求項４】
上記逆止弁が上記液剤充填袋の先端部分を窄めて形成されている請求項１又は２記載の内視鏡用液剤散布具。
【請求項５】
上記液剤計量袋の内部に溜まっている液剤の量を計量するための目盛りが上記液剤計量袋に設けられている請求項１、２、３又は４記載の内視鏡用液剤散布具。
【請求項６】
上記可撓性チューブの先端を含め全ての外面部分が外部に対して密封されている請求項１ないし５のいずれかの項に記載の内視鏡用液剤散布具。
【請求項７】
上記可撓性チューブの先端が溶着により封止されている請求項６記載の内視鏡用液剤散布具。
【請求項８】
上記可撓性チューブの先端を塞ぐための栓体が設けられている請求項１ないし５のいずれかの項に記載の内視鏡用液剤散布具。
【請求項９】
上記液剤充填袋の後端付近に、外部から上記液剤充填袋内へは空気を通過させて上記液剤充填袋内から外部へは上記液剤を通過させない逆止弁が設けられている請求項１ないし８のいずれかの項に記載の内視鏡用液剤散布具。
【発明の詳細な説明】
【技術分野】
【０００１】
この発明は、内視鏡の処置具挿通チャンネルに通されて体内に液剤を散布するために用いられる内視鏡用液剤散布具に関する。
【背景技術】
【０００２】
内視鏡観察において、体内の粘膜面に色素液等を散布することにより、通常の内視鏡観察でははっきりしない病変の状態等を識別することができるようになる場合があり、そのような液剤を体内に散布する際には、内視鏡の処置具挿通チャンネルに挿脱自在な可撓性チューブ状の内視鏡用液剤散布具が用いられる（例えば、特許文献１、２）。
【特許文献１】特開２００１−１０４４９０
【特許文献２】特開２００１−３４０４６４
【発明の開示】
【発明が解決しようとする課題】
【０００３】
上述のような従来の内視鏡用液剤散布具はいずれも、内視鏡の処置具挿通チャンネルに挿脱自在な可撓性チューブの後端部に注射針口金状の注液口金が取り付けられていて、液剤を吸い込ませた注射筒等をそこに接続して使用される。
【０００４】
しかし、薄暗い内視鏡検査室内で注液口金に注射筒を取り付けたり、注射筒から注液口金に液剤を注入する操作を行う際には、注液口金に対する注射筒の接続が不完全だったり、注液操作の際に口金部を保持する手に力が入り過ぎたりして、注液口金と注射筒との接続部から液剤が漏れ出し、術者の手や周囲を汚してしまう場合があった。
【０００５】
そこで本発明は、手元側で術者の手や周囲を汚すような液剤漏れを起こすことなく、体内に適量の液剤をスムーズに散布することができる内視鏡用液剤散布具を提供することを目的とする。
【課題を解決するための手段】
【０００６】
上記の目的を達成するため、本発明の内視鏡用液剤散布具は、内視鏡の処置具挿通チャンネルに挿脱自在な可撓性チューブと、可撓性チューブ内に送り込むための液剤が充填された弾力性のある材料からなる液剤充填袋と、可撓性チューブの後端と液剤充填袋の先端との間に接続配置された透明で弾力性のある材料からなる液剤計量袋とが一体に形成されて、液剤充填袋内から液剤計量袋内へは液剤を通過させて液剤計量袋内から液剤充填袋内へは液剤を通過させない逆止弁が、液剤充填袋と液剤計量袋との間に配置されているものである。
【０００７】
なお、液剤計量袋が液剤充填袋より小さな容積に形成されていてもよく、液剤充填袋が不透明な材料で形成されていてもよい。また、逆止弁が液剤充填袋の先端部分を窄めて形成されていてもよく、液剤計量袋の内部に溜まっている液剤の量を計量するための目盛りが液剤計量袋に設けられていてもよい。
【０００８】
また、可撓性チューブの先端を含め全ての外面部分が外部に対して密封されていてもよく、可撓性チューブの先端が溶着により封止されていてもよい。また、可撓性チューブの先端を塞ぐための栓体が設けられていてもよく、液剤充填袋の後端付近に、外部から液剤充填袋内へは空気を通過させて液剤充填袋内から外部へは液剤を通過させない逆止弁が設けられていてもよい。
【発明の効果】
【０００９】
本発明によれば、可撓性チューブと、液剤が充填された液剤充填袋と、それらの間に接続配置された液剤計量袋とが一体に形成されて、液剤充填袋と液剤計量袋との間に逆止弁が配置されていることにより、術者の手や周囲を汚すような液剤漏れを起こすことなく、内視鏡の処置具挿通チャンネルを通じて体内に適量の液剤をスムーズに散布することができる。
【発明を実施するための最良の形態】
【００１０】
内視鏡の処置具挿通チャンネルに挿脱自在な可撓性チューブと、可撓性チューブ内に送り込むための液剤が充填された弾力性のある材料からなる液剤充填袋と、可撓性チューブの後端と液剤充填袋の先端との間に接続配置された透明で弾力性のある材料からなる液剤計量袋とが一体に形成されて、液剤充填袋内から液剤計量袋内へは液剤を通過させて液剤計量袋内から液剤充填袋内へは液剤を通過させない逆止弁が、液剤充填袋と液剤計量袋との間に配置されている。
【実施例】
【００１１】
図面を参照して本発明の実施例を説明する。
図４は、本発明の内視鏡用液剤散布具１０が用いられる状態を示しており、１は内視鏡の挿入部、２は操作部であり、液剤散布具１０は、内視鏡の挿入部１内に全長にわたって挿通配置された処置具挿通チャンネル３に通して使用され、使用後は処置具挿通チャンネル３から抜去される。
【００１２】
液剤散布具１０を構成する可撓性チューブ１１は処置具挿通チャンネル３より１ｍ程度長く形成されていて、その先端１１ａが処置具挿通チャンネル３の先端の処置具突出口３ｏから前方に突出する。
【００１３】
内視鏡の処置具挿入口３ｉから手元側に延出する可撓性チューブ１１の後端には、可撓性チューブ１１内に送り込むための液剤が予め充填された液剤充填袋１２が液剤計量袋１３を介して接続されており、本発明の液剤散布具１０は、可撓性チューブ１１と液剤充填袋１２と液剤計量袋１３が一体に形成されているところに大きな特徴がある。
【００１４】
図１は、第１の実施例の液剤散布具１０の全体構成を示しており、液剤充填袋１２は、例えばシリコンゴム材等のような弾力性のある材料によって袋状に形成され、最先端部に形成された逆止弁１４以外の部分は完全に密封された状態になっている。液剤充填袋１２内に蛍光色素液等が充填される場合には、色素液の劣化防止のために液剤充填袋１２を不透明な材質で形成することが望ましい。
【００１５】
液剤計量袋１３は、例えば液剤充填袋１２と同じシリコンゴム材等のような弾力性のある材料によって、液剤充填袋１２より容積の小さな中間部分が膨らんだ樽状に形成されていて、可撓性チューブ１１の後端部分と液剤充填袋１２の先端部分とを接続する状態に配置されている。
【００１６】
液剤計量袋１３は、その内側に溜まっている液剤の液面を目視できるよう透明な材質で形成され、さらに、内部に溜まっている液剤の量を計量するための目盛り１５が付されている。
【００１７】
液剤充填袋１２の最先端部に形成された逆止弁１４は、例えば液剤充填袋１２の先端部分を窄ませて閉じたスリット状に形成されて液剤計量袋１３の後端内に突出しており、液剤充填袋１２内から液剤計量袋１３内へは液剤を通過させて、液剤計量袋１３内から液剤充填袋１２内へは液剤を通過させないようになっている。ただし、同様の機能を有する逆
止弁であればどのような構成のものを配置してもよい。
【００１８】
可撓性チューブ１１は、例えば外径が２〜３ｍｍ程度で肉厚が０．５〜０．８ｍｍ程度のものであり、液剤充填袋１２や液剤計量袋１３と同じ材料（この例ではシリコンゴム）で形成するのが製造上最も簡単である。
【００１９】
ただし、可撓性チューブ１１が腰の強さを必要とする場合には、シリコンゴムチューブより硬度のあるシリコン樹脂チューブやフッ素樹脂チューブ等を用いて、その後端を液剤計量袋１３の先端に溶着等で一体に接続してもよい。
【００２０】
可撓性チューブ１１の最先端部分１１ｘは、例えば押し潰されて加熱溶着されることで封止されており、その結果、液剤散布具１０は全ての外面部分が外部に対して密封された状態になっている。
【００２１】
したがって、使用時には可撓性チューブ１１を先端近傍位置Ｃで開口する状態にカットしてから使用し、そのカット部が使用時における可撓性チューブ１１の先端１１ａになる。ただし、可撓性チューブ１１の最先端部分１１ｘの封止を粘着等で行えば、カットすることなく開口させることもできる。
【００２２】
このように構成された実施例の液剤散布具１０を使用する際には、図４に示されるように可撓性チューブ１１を内視鏡の処置具挿通チャンネル３に通して可撓性チューブ１１の先端１１ａを体内の目標部位に向ける。
【００２３】
そして、図２に示されるように、液剤充填袋１２を手で押し潰す操作を行うと液剤充填袋１２内の液剤が液剤計量袋１３内に押し出されて液剤計量袋１３内に溜まっていくので、目盛り１５で確認して液剤充填袋１２内の液剤が適正な量になったら、図３に示されるように、液剤計量袋１３を手で押し潰す操作を行うことにより、可撓性チューブ１１の先端１１ａから体内に液剤が散布される。
【００２４】
このようにして、本発明の液剤散布具１０により、同様の液剤散布操作を必要に応じて何度でも繰り返して行うことができ、可撓性チューブ１１の先端１１ａ以外は外面が全て密封されているので液漏れ等が一切発生しない。
【００２５】
なお、本発明は上記実施例に限定されるものではなく、例えば図５に示されるように、可撓性チューブ１１の最先端部を封止するのに代えて、着脱自在な栓体１７を可撓性チューブ１１の先端１１ａに差し込んだ構成にしてもよい。
【００２６】
また、図６に示されるように、可撓性チューブ１１の先端部分に、特許文献１等に記載されているような噴霧口金１８を取り付けて、液剤が体内に広範囲に霧状に噴霧されるようにしてもよい。
【００２７】
また、図７に示されるように、液剤充填袋１２の後端付近に、外部から液剤充填袋１２内へは矢印Ｓで示されるように空気を通過させて、液剤充填袋１２内から外部へは液剤を通過させない逆止弁１９を設けてもよい。このように構成すると、液剤充填袋１２内から液剤計量袋１３内に液剤が送り出された量だけ空気が外部から液剤充填袋１２内に吸入される。
【００２８】
なお、この実施例の逆止弁１９は、外部に向かって開口する通孔の内側開口に面して球体が弾力的に押し付けられた構成であるが、その他の構成であっても差し支えない。
【図面の簡単な説明】
【００２９】
【図１】本発明の第１の実施例の内視鏡用液剤散布具の全体構成を示す断面図である。
【図２】本発明の第１の実施例の内視鏡用液剤散布具の動作を示す断面図である。
【図３】本発明の第１の実施例の内視鏡用液剤散布具の動作を示す断面図である。
【図４】本発明の第１の実施例の内視鏡用液剤散布具が内視鏡の処置具挿通チャンネルに通された使用状態の外観図である。
【図５】本発明の第２の実施例の内視鏡用液剤散布具の先端部分の断面図である。
【図６】本発明の第３の実施例の内視鏡用液剤散布具の先端部分の外観図である。
【図７】本発明の第４の実施例の内視鏡用液剤散布具の後端寄りの部分の断面図である。
【符号の説明】
【００３０】
３  処置具挿通チャンネル
１０  液剤散布具
１１  可撓性チューブ
１１ａ  先端
１２  液剤充填袋
１３  液剤計量袋
１４  逆止弁
１５  目盛り
１７  栓体
１８  噴霧口金
１９  逆止弁
【図１】
0004774290.tif 000002
【図２】
0004774290.tif 000003
【図３】
0004774290.tif 000004
【図４】
0004774290.tif 000005
【図５】
0004774290.tif 000006
【図６】
0004774290.tif 000007
【図７】
0004774290.tif 000008